(57)【特許請求の範囲】
【請求項１】
透光性材料からなる略四辺形状の板状導光体と、該板状導光体の側端面に対向して配置される透光性材料からなる複数本の棒状導光体と、該複数本の棒状導光体の端面に配置される点状光源とからなる面状照明装置において、
前記複数本の棒状導光体は、各一側面を前記板状導光体の側端面に向けて該側端面から離間する方向に並べて配置され、
前記棒状導光体における前記一側面と反対側の他側面に、前記棒状導光体の端面からの入射光が前記一側面から出射されるように光路変換する光路変換手段を設け、
前記点状光源は１個又は複数個からなり、
該１個又は複数個の点状光源のうち少なくとも１個の点状光源は、隣接する少なくとも２本の棒状導光体の端面に近接又は接触して配置され、かつ該少なくとも２本の棒状導光体に対する入射光の共通した供給源とされるとともに、前記複数本の棒状導光体の相隣接する棒状導光体の間に、透光性材料の樹脂を介在させることにより前記相隣接する棒状導光体が接着されており、
前記樹脂の屈折率は前記棒状導光体の屈折率より小さく、かつ前記棒状導光体の屈折率に近い値であり、
前記光路変換手段は溝部を含んで構成され、前記樹脂は前記溝部を避けて設けられることを特徴とする面状照明装置。
【請求項２】
前記樹脂の屈折率ｎは、１．３＜ｎ＜（ｎ１−０．１）〔ｎ１：前記棒状導光体の屈折率〕とされることを特徴とする請求項１に記載の面状照明装置。
【発明の詳細な説明】
【０００１】
【発明の属する技術分野】
本発明は、看板や各種表示装置等の照明手段に用いられる面状照明装置に係り、特に液晶表示装置に用いられる面状照明装置に関するものである。
【０００２】
【従来の技術】
低消費電力で作動する液晶表示装置は、薄型、軽量等の特長を有するので、パーソナルコンピュータ（パソコン）や携帯電話等の電気機器に多用され、需要も増大している。
【０００３】
ところで、液晶表示装置の液晶自体は自ら発光しないため、太陽光や屋内照明からの光を十分に取り込めない場所で使用する場合には、液晶表示装置とは別個に液晶に光を当てる照明手段が必要となる。
また、前記パソコン（特にノートパソコン）や携帯電話においては薄型化、省電力化が望まれており、その要望に応えるものの一例としてサイドライト方式の面状照明装置がある。このようなサイドライト方式の面状照明装置の一例として図５に示すもの（特開２０００−１１７２３公報）がある。
【０００４】
図５において、面状照明装置１は、反射型液晶素子２の前面（図中上面）Ｆを覆うように配置される。
この面状照明装置１は、透光性材料からなる略四角形状の板状導光体（ガイドプレート）３と、透光性材料からなる棒状導光体（ガイドロッド）４と、発光ダイオード（ＬＥＤ）からなる点状光源５，６とを備えて構成されている。板状導光体３は、その一面側（図中上面。以下、上面という。）７が観察面とされ、他面側（以下、下面という。）８が反射型液晶素子２に対面して配置される。
【０００５】
前記棒状導光体４は、その一側面９を板状導光体３の一側端面１０に近接もしくは接触させて配設され、点状光源５，６のそれぞれは棒状導光体４の一端面１１及び一端面１１と反対側の端面（他端面）１２に別個に配置されている。棒状導光体４における前記一側面９と反対側の側面（他側面）１３には、点状光源５，６からの光を板状導光体３の一側端面１０に入射させる光路変換手段１４が形成されている。光路変換手段１４は、断面形状がほぼ三角形の多数の溝部１５と、隣接する溝部１５，１５間に形成された平坦部１６とで構成されている。
【０００６】
板状導光体３は、上面７に棒状導光体４からの光を下面８に向けて反射する光反射パターン１７を形成している。光反射パターン１７は、断面形状が略三角形で板状導光体３の一側端面１０と平行に延びる多数条の溝部１８と、隣接する溝部１８，１８間に形成された平坦部１９とで構成されている。
【０００７】
このような面状照明装置１において、点状光源５，６からの光は、棒状導光体４内に入射し、該入射光は棒状導光体４の一側面９および他側面１３で反射を繰り返しながら棒状導光体４内を他端面側に向かって伝搬するが、その伝搬中に棒状導光体４の他側面１３に形成された光路変換手段１４を構成する多数の溝部１５により光路変換されて、板状導光体３の一側端面１０から板状導光体３内部に入射する。
【０００８】
入射した光は、板状導光体３内部で光反射パターン１７等による反射、屈折を繰り返しながら板状導光体３の一側端面１０と反対側の側端面へ向かって進行するが、その間、板状導光体３の下面８から出射する。これにより、板状導光体３の下面８に近接して配置された反射型液晶素子２が照明され、反射型液晶素子２による発光（間接発光）表示が行われる。
【０００９】
ところで、上述した従来技術では、棒状導光体４の長さ方向における、光路変換手段１４の構成等に起因する輝度むらにより板状導光体３において暗線などが生じ均一な明るさを得ることができないという問題点がある。この問題点の解決を図るものとして、本願出願人が特願２００１−２８９２７１で提案した面状照明装置がある。この面状照明装置を図６に示す。
図６に示す面状照明装置１Ａは、複数本（図６では２本を例にする。）の棒状導光体４を備えている。２本の棒状導光体４，４は、各一側面９を板状導光体３の側端面１０に向けて該側端面１０から離間する方向に並べて配置されている。
【００１０】
前記棒状導光体４における一側面９と反対側の他側面１３には、棒状導光体４の端面（一端面１１及び他端面１２）からの入射光が一側面９から出射されるように光路変換する光路変換手段１４を設けられている。光路変換手段１４は、断面形状がほぼ三角形の多数の溝部１５と、隣接する溝部１５，１５間に形成された平坦部１６とで構成されている。
【００１１】
２本の棒状導光体４，４の一端面１１，１１の両方に対向するようにして１個の点状光源５が配置されている。この場合、点状光源５は、その発光面４０の中心が２本の棒状導光体４，４の境界位置に一致するようにして配置されている。そして、この点状光源５からの光が２本の棒状導光体４，４の各一端面１１，１１に共通に入射されるようになっている。また、点状光源５の場合と同様に２本の棒状導光体１１，１１の他端面１２，１２の両方に対向するように１個の点状光源６が配置され（この場合も、点状光源５は、その発光面４０の中心が２本の棒状導光体４，４の境界位置に一致するようにして配置され）、この点状光源６からの光が２本の棒状導光体４，４の各他端面１２，１２に共通に入射されるようになっている。
【００１２】
この装置では、棒状導光体４の長手方向の各位置での輝度変化（輝度の分布）を小さくすることが可能であり、これにより板状導光体３の明るさを均一化できるようにし、ひいては暗線の発生を抑制するようにしている。
【００１３】
【発明が解決しようとする課題】
しかしながら、上述した図６に示す装置では、２本の棒状導光体４，４の間に隙間３０（空気層）が形成されており、この隙間３０（空気層）により光の透過量が減衰し板状導光体３の輝度が低下してしまっている。
例えば、図６に示す装置において、２本の棒状導光体４，４がＰＭＭＡ（ポリメチルメタルクリレート）で屈折率がｎ１であり、空気層の屈折率がｎ２（＝１．０）であるとすると、棒状導光体４，４と空気層（隙間３０）の屈折率の差により、次式（１）で定まる反射率Ｒで光が反射される。
Ｒ＝（ｎ１−ｎ２）2／（ｎ１＋ｎ２）2×１００〔％〕    （１）
【００１４】
ここで、例えば棒状導光体４の屈折率ｎ１が１．４９であるとすると、
Ｒ＝（１．４９−１．０）2／（１．４９＋１．０）2×１００〔％〕
＝３．９〔％〕
となる。
【００１５】
そして、屈折率ｎ１と屈折率ｎ２との差が大きい程、反射量（ロス）が増え、光の透過量が減ることになる。
また、棒状導光体の本数が増える程、屈折率が変化する部分（界面３１。例えば棒状導光体の空気層と接触する部分）で反射光が生じてロスが増える。例えば、図７に示すように、棒状導光体４を４本とすると、板状導光体３から最も離れた棒状導光体４（図７最上位の棒状導光体４）に入射して板状導光体３に向かう光は７箇所の界面３１を通過した後、板状導光体３に入射されるので、その都度、大きな反射光が生じてロスが増え、図６の装置全体でロスが大きくなり、その分、板状導光体３の輝度低下を招くことになる。
【００１６】
上述した問題点の対策として、複数本の棒状導光体４を密接させて隙間３０をなくすように互いに相手側に押し付けることが考えられる。しかし、棒状導光体４には微小の凹凸が存在することなどから、上述したように押し付けを行なっても空気層をなくすことはできず、適切な解決策になり得ないというのが実情であった。
本発明は、上記事情に鑑みてなされたもので、輝度の低下を招くことなく均一な明るさを確保することができる面状照明装置を提供することを目的とする。
【００１７】
【課題を解決するための手段】
請求項１記載の発明は、透光性材料からなる略四辺形状の板状導光体と、該板状導光体の側端面に対向して配置される透光性材料からなる複数本の棒状導光体と、該複数本の棒状導光体の端面に配置される点状光源とからなる面状照明装置において、前記複数本の棒状導光体は、各一側面を前記板状導光体の側端面に向けて該側端面から離間する方向に並べて配置され、前記棒状導光体における前記一側面と反対側の他側面に、前記棒状導光体の端面からの入射光が前記一側面から出射されるように光路変換する光路変換手段を設け、
前記点状光源は１個又は複数個からなり、該１個又は複数個の点状光源のうち少なくとも１個の点状光源は、隣接する少なくとも２本の棒状導光体の端面に近接又は接触して配置され、かつ該少なくとも２本の棒状導光体に対する入射光の共通した供給源とされるとともに、前記複数本の棒状導光体の相隣接する棒状導光体の間に、透光性材料の樹脂を介在させることにより前記相隣接する棒状導光体が接着されており、前記樹脂の屈折率は前記棒状導光体の屈折率より小さく、かつ前記棒状導光体の屈折率に近い値であり、前記光路変換手段は溝部を含んで構成され、前記樹脂は前記溝部を避けて設けられることを特徴とする。
請求項２記載の発明は、請求項１記載の構成において、前記樹脂の屈折率ｎは、１．３＜ｎ＜（ｎ１−０．１）〔ｎ１：前記棒状導光体の屈折率〕とされることを特徴とする。
【００１８】
【発明の実施の形態】
本発明の第１実施の形態を図１及び図２に基づいて説明する。
図１及び図２において、面状照明装置１Ｂは、反射型液晶素子２の前面（表示面）Ｆを覆うように配置されるものである。
【００１９】
この面状照明装置１Ｂは、透光性材料からなる平面視略四角形状の板状導光体（ガイドプレート）３と、この板状導光体３の側端面１０と平行になるようにして該側端面１０に対向して配置される透光性材料からなる複数本（この実施の形態では２本とする。）の棒状導光体４と、棒状導光体４の長手方向の一端面１１（図２左側）に近接または接触して配置されるＬＥＤからなる１個の点状光源５ａ及び他端面１２に近接または接触して配置されるＬＥＤからなる１個の点状光源６ａとを備えている。
２本の棒状導光体４は、各一側面（以下、第１側面という。）９を前記板状導光体３の側端面１０に向けて該側端面１０から離間する方向に並べて配置されている。２本の棒状導光体４は、ＰＭＭＡ（ポリメチルメタルクリレート）からなりその屈折率ｎ１は１．４９とされている。なお、便宜上、２本の棒状導光体４について、前記側端面１０から離間する方向に順に、適宜、第１、第２棒状導光体４ａ，４ｂという。
【００２０】
点状光源５ａは、第１、第２棒状導光体４ａ，４ｂの各一端面１１の両方に近接して又は接触して配置されている。この場合、点状光源５ａは、その発光面４０の中心が第１、第２棒状導光体４ａ，４ｂの接合部に略一致するように配置されている。点状光源５ａは、第１、第２棒状導光体４ａ，４ｂに対する入射光の共通した供給源とされており、第１、第２棒状導光体４ａ，４ｂの各一端面１１に点状光源５ａからの光が共通に入射されるようになっている。
【００２１】
又、点状光源６ａは、第１、第２棒状導光体４ａ，４ｂの各他端面１２の両方に近接して又は接触して配置されている。この場合、点状光源６ａは、その発光面４０の中心が第１、第２棒状導光体４ａ，４ｂの接合部に略一致するように配置されている。点状光源６ａは、第１、第２棒状導光体４ａ，４ｂに対する入射光の共通した供給源とされており、第１、第２棒状導光体４ａ，４ｂの各他端面１２に点状光源６ａからの光が共通に入射されるようになっている。
【００２２】
図２に示すように、第１棒状導光体４ａにおける第１側面９と反対側の側面（以下、第２側面という。）１３には、この第１棒状導光体４ａの一端面１１からの入射光が第１側面９から出射されて、板状導光体３の側端面１０に入射されるように光路変換する光路変換手段１４が設けられている。光路変換手段１４は、断面が三角形状で第１棒状導光体４ａの長手方向に形成される複数個の溝部１５と、隣接する溝部１５間に形成される平坦部１６とからなっている。第２棒状導光体４ｂの第２側面１３にも光路変換手段１４が設けられている。
【００２３】
第１、第２棒状導光体４ａ，４ｂの間（以下、第１隙間部という。）３０ａにおける第１棒状導光体４ａの溝部１５を除いた部分には、透光性材料の接着剤３２（樹脂）が介在されて、この接着剤３２により第１、第２棒状導光体４ａ，４ｂは接着されて一体化されている。接着剤３２は、その屈折率ｎが、棒状導光体４（第１、第２棒状導光体４ａ，４ｂ）の屈折率ｎ１（１．４９）より０．１小さい値（ｎ１−０．１＝１．３９）より小さくかつ１．３より大きい値となる（１．３＜ｎ＜１．３９）ように構成されている。
【００２４】
上述したように、第１、第２棒状導光体４ａ，４ｂは接着剤３２により接着されて一体化されているので、接着剤３２と第１、第２棒状導光体４ａ，４ｂのそれぞれとの間には、棒状導光体４と屈折率が大きく異なる空気層はなくなる。
そして、第１、第２棒状導光体４ａ，４ｂの接着による一体化ひいては上述した従来技術で生じ得た空気層の除去を、棒状導光体４（第１、第２棒状導光体４ａ，４ｂ）の屈折率ｎ１（１．４９）に近い値〔１．３９より小さくかつ１．３より大きい値〕の接着剤３２により行なっており、界面３１における屈折率の差が小さくなる。このため、界面３１に垂直入射する光の反射光量ひいてはロスが少なくなるので、光の透過量が増え、板状導光体３の輝度が上昇することになる。
【００２５】
本実施の形態の面状照明装置１Ｂについて、屈折率ｎが１．３以下の値から１．３９を超える値の範囲で異なる値の複数の接着剤３２を用いて、板状導光体３の輝度を調べたところ、屈折率ｎが１．３＜ｎ＜１．３９の接着剤３２を用いることにより良好な輝度および輝度の均一性が確保されることを確認することができた。なお、接着剤３２の屈折率ｎを棒状導光体４の屈折率ｎ１よりも小さくしなければならないのは、〔従来の技術〕で説明したように、棒状導光体４の長手方向にわたって均一に光を出射せるには、点状光源から棒状導光体４内に入射した光を側面で反射させながら他端面側に向かって先送りさせる必要があるからである。平均輝度と輝度の均一性（光路変換手段１４の構成等に起因する輝度むらとは異なる均一性）を両立させるには、屈折率ｎを１．３＜ｎ＜１．３９の範囲に限定する必要があることが明らかになった。
【００２６】
また、第１隙間部３０ａへの接着剤３２の介在を溝部１５を避けて行なっているので、接着剤３２を溝部１５に設けた場合に生じる洩れ光の増加を抑制することができ、その分、輝度の向上を図ることができる。
【００２７】
また、第１、第２棒状導光体４ａ，４ｂを並列に配置し、点状光源５ａは、その発光面４０の中心が第１、第２棒状導光体４ａ，４ｂの接合部に略一致するように配置されているので、点状光源５ａによる第１棒状導光体４ａからの板状導光体３への出射光の、第１棒状導光体４ａの長手方向における輝度変化（光路変換手段１４の構成等に起因する輝度むら）が小さくなる。また、点状光源６ａも点状光源５ａの場合と同様に配置されていることから、点状光源６ａからの出射光による第１棒状導光体４ａの長手方向における輝度変化（ひいては第１棒状導光体４ａの長手方向における輝度変化）が小さくなる。このように第１棒状導光体４ａの長手方向における輝度変化（第１棒状導光体４ａから出射する光の輝度変化）が小さくなることに伴い、板状導光体３の明るさを均一化することができる。
【００２８】
上記第１実施の形態では、棒状導光体４が２本である場合を例にしたが，本発明はこれに限らず、３本以上としてもよい。例えば棒状導光体４を４本として面状照明装置を構成してもよい。棒状導光体４を４本として構成した面状照明装置１Ｃ（第２実施の形態）を図３及び図４に基づいて以下に説明する。
図３及び図４において、面状照明装置１Ｃは、反射型液晶素子２の前面（表示面）Ｆを覆うように配置されるものである。
【００２９】
この面状照明装置１Ｃは、透光性材料からなる平面視略四角形状の板状導光体（ガイドプレート）３と、この板状導光体３の側端面１０と平行になるようにして該側端面１０に対向して配置される透光性材料からなる４本の棒状導光体４と、棒状導光体４の長手方向の一端面１１（図４左側）に近接または接触して配置されるＬＥＤからなる２個の点状光源５ａ，５ｂ及び他端面１２に近接または接触して配置されるＬＥＤからなる２個の点状光源６ａ，６ｂとを備えている。
４本の棒状導光体４は、各一側面（以下、第１側面という。）９を前記板状導光体３の側端面１０に向けて該側端面１０から離間する方向に並べて配置されている。４本の棒状導光体４は、ＰＭＭＡからなりその屈折率ｎ１は１．４９とされている。なお、便宜上、４本の棒状導光体４について、前記側端面１０から離間する方向に順に、適宜、第１、第２、第３、第４棒状導光体４ａ，４ｂ，４ｃ，４ｄという。
【００３０】
点状光源５ａは、第１、第２棒状導光体４ａ，４ｂの各一端面１１の両方に近接して又は接触して配置されている。この場合、点状光源５ａは、その発光面４０の中心が第１、第２棒状導光体４ａ，４ｂの接合部に略一致するように配置されている。点状光源５ａは、第１、第２棒状導光体４ａ，４ｂに対する入射光の共通した供給源とされており、第１、第２棒状導光体４ａ，４ｂの各一端面１１に点状光源５ａからの光が共通に入射されるようになっている。
【００３１】
又、点状光源６ａは、第１、第２棒状導光体４ａ，４ｂの各他端面１２の両方に近接して又は接触して配置されている。この場合、点状光源６ａは、その発光面４０の中心が第１、第２棒状導光体４ａ，４ｂの接合部に略一致するように配置されている。点状光源６ａは、第１、第２棒状導光体４ａ，４ｂに対する入射光の共通した供給源とされており、第１、第２棒状導光体４ａ，４ｂの各他端面１２に点状光源６ａからの光が共通に入射されるようになっている。
また，点状光源５ｂ，６ｂについても、点状光源５ａ，６ａの場合と同様にして第３、第４棒状導光体４ｃ，４ｄの各一端面１１及び各他端面１２側に配置されている。
【００３２】
図４に示すように、第１棒状導光体４ａにおける第１側面９と反対側の側面（以下、第２側面という。）１３には、この第１棒状導光体４ａの一端面１１からの入射光が第１側面９から出射されて、板状導光体３の側端面１０に入射されるように光路変換する光路変換手段１４が設けられている。光路変換手段１４は、断面が三角形状で第１棒状導光体４ａの長手方向に形成される複数個の溝部１５と、隣接する溝部１５間に形成される平坦部１６とからなっている。第２、第３、第４棒状導光体４ｂ，４ｃ，４ｄの各第２側面１３にも、それぞれ、光路変換手段１４が設けられている。
【００３３】
第１、第２棒状導光体４ａ，４ｂの間（以下、第１隙間部という。）３０ａにおける第１棒状導光体４ａの溝部１５を除いた部分には、透光性材料の接着剤３２（樹脂）が介在されて、この接着剤３２により第１、第２棒状導光体４ａ，４ｂは接着されて一体化されている。接着剤３２は、その屈折率ｎが、棒状導光体４（第１〜第４棒状導光体４ａ〜４ｄ）の屈折率ｎ１（１．４９）より０．１小さい値（ｎ１−０．１＝１．３９）より小さくかつ１．３より大きい値となる（１．３＜ｎ＜１．３９）ように構成されている。
【００３４】
第１、第２棒状導光体４ａ，４ｂの場合と同様に、第２、第３棒状導光体４ｂ，４ｃの間（以下、第２隙間部という。）３０ｂにおける第２棒状導光体４ｂの溝部１５を除いた部分、第３、第４棒状導光体４ｃ，４ｄの間（以下、第３隙間部という。）３０ｃにおける第３棒状導光体４ｃの溝部１５を除いた部分には、それぞれ、接着剤３２が介在されて、この接着剤３２により第２、第３棒状導光体４ｂ，４ｃ、第３、第４棒状導光体４ｃ，４ｄは接着されて一体化されている。
【００３５】
上述したように、第１〜第４棒状導光体４ａ〜４ｄは接着剤３２により接着されて一体化されているので、接着剤３２と第１〜第４棒状導光体４ａ〜４ｄのそれぞれとの間には、棒状導光体４と屈折率が大きく異なる空気層はなくなる。
そして、第１〜第４棒状導光体４ａ〜４ｄの接着による一体化ひいては上述した従来技術で生じ得た空気層の除去を、棒状導光体４（第１〜第４棒状導光体４ａ〜４ｄ）の屈折率ｎ１（１．４９）に近い値〔１．３９より小さくかつ１．３より大きい値〕の接着剤３２により行なっており、界面３１における屈折率の差が小さくなる。このため、界面３１に垂直入射する光の反射光量ひいてはロスが少なくなるので、光の透過量が増え、板状導光体３の輝度が上昇することになる。
【００３６】
本実施の形態の面状照明装置１Ｃについて、屈折率ｎが１．３以下の値から１．３９を超える値の範囲で異なる値の複数の接着剤３２を用いて、板状導光体３の輝度を調べたところ、屈折率ｎが１．３＜ｎ＜１．３９の接着剤３２を用いることにより良好な輝度と輝度の均一性が確保されることを確認することができた。
【００３７】
また、第１、第２、第３隙間部３０ａ，３０ｂ，３０ｃへの接着剤３２の介在を溝部１５を避けて行なっているので、接着剤３２を溝部１５に設けた場合に生じる洩れ光の増加を抑制することができ、その分、輝度の向上を図ることができる。
【００３８】
また、第１〜第４棒状導光体４ａ〜４ｄを並列に配置し、点状光源５ａは、その発光面４０の中心が第１、第２棒状導光体４ａ，４ｂの接合部に略一致するように配置されているので、点状光源５ａによる第１棒状導光体４ａからの板状導光体３への出射光の、第１棒状導光体４ａの長手方向における輝度変化が小さくなる。また、点状光源５ｂ，６ａ，６ｂも点状光源５ａの場合と同様に配置されていることから、点状光源５ｂ，６ａ，６ｂからの出射光による第１、第３棒状導光体４ａ，４ｃの長手方向における輝度変化（ひいては第１棒状導光体４ａの長手方向における輝度変化）が小さくなる。このように第１棒状導光体４ａの長手方向における輝度変化（第１棒状導光体４ａから出射する光の輝度変化）が小さくなることに伴い、板状導光体３の明るさを均一化することができる。
【００３９】
【発明の効果】
請求項１及び２に記載の発明によれば、複数本の各棒状導光体を並列に配置し、１個又は複数個の点状光源のうち少なくとも１個の点状光源は、隣接する少なくとも２本の棒状導光体の端面に近接又は接触して配置され、かつ該少なくとも２本の棒状導光体に対する入射光の共通した供給源とされるので、棒状導光体からの板状導光体への出射光の、棒状導光体の長手方向における輝度変化が小さくなり、板状導光体の明るさを均一化することができる。また、光路変換手段は溝部を含んで構成され、樹脂は溝部を避けて設けられるので、樹脂を溝部に設けた場合に生じる洩れ光の増加を抑制することができ、その分、輝度の向上を図ることができる。
【００４０】
また、接着剤の接着により複数本の棒状導光体は一体化されるので、接着剤と複数本の各棒状導光体のそれぞれとの間には、棒状導光体と屈折率が大きく異なる空気層はなくなる。このため、界面における屈折率の差が小さくなり、界面に垂直入射する光の反射光量ひいてはロスが少なくなるので、光の透過量が増え、板状導光体の輝度が上昇することになる。また、接着剤の屈折率を棒状導光体の屈折率より小さく、かつ棒状導光体の屈折率に近い値とすることにより、一本の棒状導光体内での光の先送りが十分に行われることになり、棒状導光体の長手方向における出射光の均一化を維持することができる。
【図面の簡単な説明】
【図１】本発明の第１実施の形態に係る面状照明装置を示す分解斜視図である。
【図２】図３の２本の棒状導光体と板状導光体の配置状態を模式的に示す図である。
【図３】本発明の第２実施の形態に係る面状照明装置を示す分解斜視図である。
【図４】図３の４本の棒状導光体と板状導光体の配置状態を模式的に示す図である。
【図５】面状照明装置の従来の一例を示す分解斜視図である。
【図６】２本の棒状導光体を用いた従来の面状照明装置の一例を示す分解斜視図である。
【図７】４本の棒状導光体と板状導光体の配置状態を模式的に示す図である。
【符号の説明】
１Ｂ    面状照明装置
３    板状導光体
４    棒状導光体
４ａ〜４ｄ    第１、第２、第３、第４棒状導光体
５ａ〜６ｂ    点状光源
１４      光路変換手段
１５      溝部
３２      接着剤（樹脂）
【図１】
0004074979.tif 000002
【図２】
0004074979.tif 000003
【図３】
0004074979.tif 000004
【図４】
0004074979.tif 000005
【図５】
0004074979.tif 000006
【図６】
0004074979.tif 000007
【図７】
0004074979.tif 000008